(57)【特許請求の範囲】
【請求項１】
フレームと、該フレームの上部に略水平な使用状態と略垂直な不使用状態との間を回動可能に取付けられた記載台を備え、かつ椅子本体に着脱可能としたメモ台を、椅子本体から分離した状態で収納する椅子のメモ台用台車装置であって、
前記台車の下部に、不使用状態とした複数のメモ台をほぼ上下鉛直方向に積み重ね可能なメモ台支持部を設け、該メモ台支持部は、少なくとも最下段のメモ台のフレームの内側面と当接する第１の支持部材と、最下段のメモ台における記載台の下面側と当接する第２の支持部材とからなり、さらに、前記台車に、積み重ねられた各メモ台の少なくとも左右方向の移動を阻止する移動防止手段が設けられていることを特徴とする椅子のメモ台用台車装置。
【請求項２】
移動防止手段が、各メモ台の同一箇所を支持するように台車の複数箇所に立設した上部開放型の立設杆である請求項１に記載の椅子のメモ台用台車装置。
【発明の詳細な説明】
【０００１】
【発明の属する技術分野】
本発明は、椅子本体に着脱可能としたメモ台を、椅子本体から分離した状態で収納する椅子のメモ台用台車装置に関する。
【０００２】
【従来の技術】
最近の多目的ホールにおいて椅子を使用する場合、集会の種類や、部屋の大きさと使用人数との関係等に応じて、例えば椅子本体のみを並べたり、あるいは椅子の前方にテーブルを配設したり、テーブルを使用せずにメモ台付の椅子を並べる等、様々な形態で使われる。
【０００３】
上記のように使用目的、状況等に応じて椅子を使い分けて使用しようとする場合、メモ台無し、メモ台付等の種々の椅子が個々に必要となる場合が多いことから、椅子本体にメモ台を着脱できるもの等が使用されている。
【０００４】
【発明が解決しようとする課題】
しかしながら、このように椅子本体にメモ台を着脱できるものでは、椅子本体からメモ台を取外した場合に、メモ台の収納に多くの面積が必要となったり、メモ台の収納場所からの運搬に手間がかかるといった新たな問題が発生している。
【０００５】
本発明は、このような問題点に着目してなされたもので、椅子本体から取外された多くのメモ台を、簡単にしかも効率良く収納でき、また、収納場所からのメモ台の運搬も容易に行える椅子のメモ台用台車装置を提供することを目的としている。
【０００６】
【課題を解決するための手段】
本発明の椅子のメモ台用台車装置は、フレームと、該フレームの上部に略水平な使用状態と略垂直な不使用状態との間を回動可能に取付けられた記載台を備え、かつ椅子本体に着脱可能としたメモ台を、椅子本体から分離した状態で収納する椅子のメモ台用台車装置であって、
前記台車の下部に、不使用状態とした複数のメモ台をほぼ上下鉛直方向に積み重ね可能なメモ台支持部を設け、該メモ台支持部は、少なくとも最下段のメモ台のフレームの内側面と当接する第１の支持部材と、最下段のメモ台における記載台の下面側と当接する第２の支持部材とからなり、さらに、前記台車に、積み重ねられた各メモ台の少なくとも左右方向の移動を阻止する移動防止手段が設けられていることを特徴としている。
この特徴により、椅子本体から取外した多くのメモ台を、簡単に、しかも効率良く収納できるとともに、メモ台の収納に多くの面積を必要とせず、また、スタッキングされたメモ台を崩すことなく運搬を容易に行える。しかも記載台の表面側（上面側）を傷つけることなく、かつ記載台が不用意に使用状態に戻る虞もなく、加えて各メモ台の左右方向の移動を拘束しているので、スタッキングされたメモ台にバランスの不均衡があっても、メモ台を安定、かつ効率よく支持できる。
【０００８】
本発明の椅子のメモ台用台車装置は、移動防止手段が、各メモ台の同一箇所を支持するように台車の複数箇所に立設した上部開放型の立設杆であることが好ましい。
このようにすることで、各メモ台を上下鉛直方向に積上げることが可能となり、場所の取らないスタッキングが可能となる。
【０００９】
【発明の実施の形態】
以下、本発明の実施の形態を図面に基づいて説明すると、まず図１には本発明の実施形態としての椅子のメモ台用の台車装置１が示されており、３は四隅下端に移動可能なキャスター２が取り付けられた枠体、４は枠体３の側部に立設される側部杆、５、６は後方の側部杆４間を連結する上下の連結部材、７は前後の側部杆４、４間所定箇所に設けられる連結部材をそれぞれ示している。
【００１０】
また、上下の連結部材５、６間所定箇所には、上下方向に延びる案内杆８、８が、特に図２、図３に示される離間部材９を介して、連結部材５、６の前面より前方位置に取付けられている。
【００１１】
左右の連結部材７、７間後部には、収納するメモ台の支持部としての第１支持部材１０が左右方向に水平に設けられている。また、枠体３の左右の側枠３ａ、３ａ間前部には、第２支持部材１１が左右方向に水平に設けられている。
【００１２】
さらに枠体３の左右の側枠３ａ、３ａ間略中央部には、支持部材１２が左右方向に設けられており、この固定部材１２の上面には、略Ｕ字形に加工された立設杆１３、１４、１５がそれぞれ立設されている。中央の立設杆１４の左右杆１４ａ、１４ｂと、図１、図３中左側の立設杆１３の右杆１３ａ、及び図１、図３中右側の立設杆１５の左杆１５ａとの間には、上部が開放された上下方向のスペースＳが形成されている。
【００１３】
このように構成される台車装置１内には、メモ台を図３、図４に示すように上下鉛直方向に積み重ねることが出来るようになっている。
【００１４】
メモ台１６は、図２に示されるように、記載台１７と、記載台１７を支持するフレーム１８と、このフレーム１８下部に取付けられた略Ｌ字状の第１係合部材１９と、この第１係合部材１９の内側面より内側に向って取付けられる支持杆２０、及びこの支持杆２０内に伸縮自在に嵌挿された伸縮杆２１と、伸縮杆２１の先端に取付けられた第２係合部材２２とから構成される。
【００１５】
なお、支持杆２０内には伸縮杆２１を常時伸長方向に弾性付勢するバネ２３が嵌装されている。また、記載台１７はフレーム１８の上端に取り付けられる回動部材２４を介して図中２点鎖線で示される不使用位置と実線で示される使用位置との間を移動可能になっている。
【００１６】
このように構成されたメモ台１６を椅子３０に取り付けるにはは、まず伸縮杆２０及び支持杆２１を、椅子３０の前後脚杆３５を連結する連結部材３１と背凭れ３２を支持する固定部材３３との間に形成される穴部３４の外側より内側すなわち座板方向に向って挿入し、伸縮杆２１の先端の第２係合部２２を、左右両脚杆３５、３５間を連結する２本の連結杆３６、３６間前後方向に設けられる前後杆３７に係合させた後、支持杆２０に対して伸縮杆２１をバネ２３の弾性付勢力に逆らって収縮させながら、第１係合部１９を連結部材３１に係合させるように位置合わせする。
【００１７】
そして伸縮杆２１の収縮方向への力を解除すれば、伸縮杆２１はバネ２３の弾性付勢力により伸長し、第１係合部１９が連結部材３１に、第２係合部２２が前後杆３７にそれぞれ係合する。これら第１、第２係合部１９、２２は、バネ２３の弾性付勢力による伸縮杆２１の伸長力により連結部材３１及び前後杆３７に強く圧接されるため、支持杆２０及び伸縮杆２１が連結部材３１及び前後杆３７間に保持される。
【００１８】
よってメモ台１６を、椅子３０に対して容易にかつ確実に取付けることが出来る用になっている。また、椅子３０本体からメモ台１６を取外す場合には、上記の工程を逆にして、伸縮杆２１に収縮方向の力を作用させて連結部材３１と第１係合部１９との係合を解除し、次いで前後杆３７と第２係合部２２との係合を解除するだけでよい。
【００１９】
このようなメモ台１６が台車装置１に収納されると、特に図３、図４に示されるように、最下段に位置するメモ台１６のフレーム１８及び支持杆２０の下面側が第１支持部材１０により支持されるとともに、記載台１７の下面側（記載台を使用している状態において下方となる下面側）が、記載台１７をフレーム１８と水平な不使用状態のまま傾斜状態に保持されるように第２支持部材１１により支持される。この第２支持部材１１によりメモ台１６の前後方向のバランスが適宜保持されるようになっているため、複数のメモ台１６を上下鉛直方向に積み重ねることが出来るようになっている。
【００２０】
また、記載台１７が立設杆１３、１４、１５より前方に位置するとともに、フレーム１８が各立杆１３、１４、１５間上下方向に設けられる隙間Ｓを挿通されることにより、垂直状に積み重ねられたメモ台１６の左右方向の移動が規制される。よって使用者はメモ台１６を容易に上下鉛直方向に積み重ねることが出来るとともに、積み重ねられたメモ台１６が安定して保持される。
【００２１】
なお、隙間Ｓに近接する立設杆１３ａ、１４ａ、１４ｂ、１５ａの上端角部１３ｃ、１４ｃ、１５ｃが、それぞれＲ形状に形成されていることにより、使用者によるメモ台１６のフレーム１８の隙間Ｓ内への挿通が容易になっている。
【００２２】
このように本発明実施形態としての台車装置１にあっては、椅子本体から取外した多くのメモ台１６を、簡単に、かつ上方に効率良く積み重ねて収納できるため、メモ台１６の収納に多くの面積を必要とせず、また、積み重ねられたメモ台１６を崩すことなく容易に運搬することができる。
【００２３】
図５には本発明の第２の実施形態としての台車装置１が示されている。本実施形態において前述の実施形態と相違する点としては、最下段に収納されるメモ台１６の下面側を支持する第１、第２支持部材が、記載台１７及びフレーム１８とを不使用状態に保持すると同時に、所定傾斜状態に保持する傾斜板２５である点である。
【００２４】
このように支持部材は記載台１７及びフレーム１８とを不使用状態に保持すると同時に、所定傾斜状態に保持できるものであれば、このような板状のものでもかまわない。また、支持部材が左右方向に所定長さ延びる板材であることで、最下段のメモ台１６の記載台１７を、正面視略水平に容易に保持することが可能となるため、複数のメモ台１６を上方向に安定して積み重ねることが出来る。
【００２５】
以上、本発明の実施形態を図面によって説明してきたが、具体的な構成はこれら実施形態に限られるものではなく、本発明の要旨を逸脱しない範囲における変更や追加があっても本発明に含まれる。
【００２６】
例えば、本実施形態においては、移動防止手段としての立設杆はメモ台１６のフレーム１８の左右方向への移動を規制していたが、記載台１７が規制されるようになっていてもよい。
【００２７】
【発明の効果】
本発明は次の効果を奏する。
【００２８】
（ａ）請求項１の発明によれば、椅子本体から取外した多くのメモ台を、簡単に、しかも効率良く収納できるとともに、メモ台の収納に多くの面積を必要とせず、また、スタッキングされたメモ台を崩すことなく運搬を容易に行える。しかも記載台の表面側（上面側）を傷つけることなく、かつ記載台が不用意に使用状態に戻る虞もなく、加えて各メモ台の左右方向の移動を拘束しているので、スタッキングされたメモ台にバランスの不均衡があっても、メモ台を安定、かつ効率よく支持できる。
【００３０】
（ｂ）請求項２の発明によれば、各メモ台を上下鉛直方向に積上げることが可能となり、場所の取らないスタッキングが可能となる。
【００３１】
【図面の簡単な説明】
【図１】本発明の第１の実施形態としての椅子のメモ台用台車装置を示す斜視図である。
【図２】メモ台の椅子への取付状況を示す正面図である。
【図３】図１の台車装置にメモ台が収納された状態を示す平面図である。
【図４】同じく図１の台車装置にメモ台が収納された状態を示す側面図である。
【図５】本発明の第２の実施形態としての椅子のメモ台用台車装置を示す側面図である。
【符号の説明】
１              台車装置
２              キャスター
３              枠体
４              側部杆
５、６、７      連結部材
８              案内杆
９              離間部材
１０              第１支持部材（メモ台支持部）
１１              第２支持部材（メモ台支持部）
１２              固定部材
１３、１４、１５  立設杆（移動防止手段）
１６              メモ台
１７              記載台
１８              フレーム
１９              第１係合部
２０              支持杆
２１              伸縮杆
２２              第２係合部
２３              バネ
２４              回動部材
２５              傾斜板
３０              椅子
３１              連結部材
３２              背凭れ
３３              固定部材
３４              穴部
３５              脚杆
３６              連結杆
３７              前後杆
【図１】
0004010602.tif 000002
【図２】
0004010602.tif 000003
【図３】
0004010602.tif 000004
【図４】
0004010602.tif 000005
【図５】
0004010602.tif 000006